【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
セルラ通信ネットワークにおいて、他のユーザ通信デバイスに対する通信データを中継する中継ユーザ通信デバイスであって、
前記セルラ通信ネットワークにおける他のユーザ通信デバイスと通信する手段であって、第１の通信インタフェースを介して少なくとも一つの他のユーザ通信デバイスと通信し、第２の通信インタフェースを介して基地局と通信する通信手段と、
前記通信手段を制御して、他のユーザ通信デバイスの各々から前記第１の通信インタフェースを介して受信した通信データを、前記第２の通信インタフェースを介して前記基地局へ中継し、前記第２の通信インタフェースを介して前記基地局から受信した他のユーザ通信デバイスの各々に対する通信データを、前記第１の通信インタフェースを介して当該他のユーザ通信デバイスへ中継する制御手段と、
少なくとも一つの他のユーザ通信デバイスに対する通信データを中継するためのビットレートを特定する情報を、取得する取得手段と、を備え、
前記取得手段は、少なくとも一つの他のユーザ通信デバイスに対する通信データを中継するためのビットレートを特定する前記情報を、前記ビットレートが関連する前記少なくとも一つの他のユーザ通信デバイスから受信することによって、取得し、
前記制御手段は、前記通信手段を制御して、前記ビットレートが関連する前記少なくとも一つの他のユーザ通信デバイスに対する通信データを中継するためのビットレートを特定する前記情報を、前記基地局を介して少なくとも一つのコアネットワークノードへ送信する、
中継ユーザ通信デバイス。
【請求項２】
前記取得手段は、少なくとも一つの他のユーザ通信デバイスに対する通信データを中継するためのビットレートを特定する前記情報を、前記少なくとも一つの他のユーザ通信デバイスをＡＳ（ａｐｐｌｉｃａｔｉｏｎ ｓｅｒｖｅｒ）へ登録する処理の過程で、取得する、
ことを特徴とした請求項１に記載の中継ユーザ通信デバイス。
【請求項３】
前記取得手段は、少なくとも一つの他のユーザ通信デバイスに対する通信データを中継するためのビットレートを特定する前記情報を、中継コネクションを確立する処理の過程で、取得する、
ことを特徴とした請求項１又は２に記載の中継ユーザ通信デバイス。
【請求項４】
前記取得手段は、少なくとも一つの他のユーザ通信デバイスに対する通信データを中継するためのビットレートを特定する前記情報を、
前記ビットレートに関連する識別子を、前記ビットレートが関連する前記少なくとも一つの他のユーザ通信デバイスから受信し、
前記受信した識別子に基づき、前記ビットレートが関連する前記少なくとも一つの他のユーザ通信デバイスに対する通信データを中継するためのビットレートを特定する前記情報を取得すること、によって取得する、
ことを特徴とした請求項１に記載の中継ユーザ通信デバイス。
【請求項５】
前記取得手段は、少なくとも一つの他のユーザ通信デバイスに対する通信データを中継するためのビットレートを特定する前記情報を、中継コネクションを確立する処理の過程で、取得する、
ことを特徴とした請求項４に記載の中継ユーザ通信デバイス。
【請求項６】
セルラ通信ネットワークにおいて、中継ユーザ通信デバイスによる中継のために前記中継ユーザ通信デバイスとデータ通信するユーザ通信デバイスであって、
前記セルラ通信ネットワークにおける他のユーザ通信デバイスと通信する手段であって、自ユーザ通信デバイスの代理として通信データを中継するためのビットレートを決定可能な情報を、前記中継ユーザ通信デバイスとの通信インタフェースを介して伝送する通信手段、
を備えたユーザ通信デバイス。
【請求項７】
前記通信手段は、自ユーザ通信デバイスの代理として通信データを中継するためのビットレートを決定可能な情報を伝送し、前記情報は、自ユーザ通信デバイスの代理として通信データを中継するための前記ビットレートを特定する情報、を含む、
ことを特徴とした請求項６に記載のユーザ通信デバイス。
【請求項８】
前記通信手段は、自ユーザ通信デバイスの代理として通信データを中継するためのビットレートを決定可能な情報を伝送し、前記情報は、前記ビットレートに関連した識別子を含む、
ことを特徴とした請求項６又は７に記載のユーザ通信デバイス。
【請求項９】
中継ユーザ通信デバイスを介して提供される、少なくとも一つの他のユーザ通信デバイスに対する通信データを中継するためのビットレートを特定する情報を、受信する受信手段と、
中継ユーザ通信デバイスを介して提供されるビットレートを特定する前記情報に基づき、前記中継ユーザ通信デバイスが前記少なくとも一つの他のユーザ通信デバイスとの中継コネクションを有する場合における前記中継ユーザ通信デバイスとの通信用のデータスループットを制御するためのパラメータを、生成する生成手段と、
データスループットを制御するための前記パラメータを、前記中継ユーザ通信デバイスへ送信する送信手段と、を備え、
前記受信手段は、ビットレートを特定する前記情報を、他のネットワークノードを介して前記中継ユーザ通信デバイスから受信する、
コアネットワークノード。
【請求項１０】
前記受信手段は、ビットレートを特定する前記情報を、コアネットワークゲートウェイを巻き込むこと無く基地局を介して、前記中継ユーザ通信デバイスから受信する、
ことを特徴とした請求項９に記載のコアネットワークノード。
【請求項１１】
前記受信手段は、ビットレートを特定する前記情報を、コアネットワークゲートウェイを介して、前記中継ユーザ通信デバイスから受信する、
ことを特徴とした請求項９に記載のコアネットワークノード。
【請求項１２】
前記受信手段は、ビットレートを特定する前記情報を、当該情報を提供する前記中継ユーザ通信デバイスを特定する情報と関連付けて受信する、
ことを特徴とした請求項９〜１１のいずれか一項に記載のコアネットワークノード。
【請求項１３】
ＭＭＥ（ｍｏｂｉｌｉｔｙ ｍａｎａｇｅｍｅｎｔ ｅｎｔｉｔｙ）である、
ことを特徴とした請求項９、１０又は１２に記載のコアネットワークノード。
【請求項１４】
中継ユーザ通信デバイスを介して提供される、少なくとも一つの他のユーザ通信デバイスに対する通信データを中継するためのビットレートを特定する情報を、当該情報を提供する前記中継ユーザ通信デバイスを特定する情報と関連付けて、受信する受信手段と、
前記中継ユーザ通信デバイスが前記少なくとも一つの他のユーザ通信デバイスとの中継コネクションを有する場合、前記中継ユーザ通信デバイスを介して要求された前記ビットレートに基づき、前記中継ユーザ通信デバイスとの通信用のデータスループットを制御する制御手段と、
を備えたコアネットワークノード。
【請求項１５】
ゲートウェイデバイスである、
ことを特徴とした請求項１４に記載のコアネットワークノード。
【請求項１６】
中継ユーザ通信デバイスを介して、少なくとも一つの他のユーザ通信デバイスに対する通信データを中継するためのビットレートを特定する情報を、当該情報を提供する前記中継ユーザ通信デバイスを特定する情報と関連付けて、受信する受信手段と、
少なくとも一つの他のユーザ通信デバイスに対する通信データを中継するためのビットレートを特定する前記情報を、当該情報を提供する前記中継ユーザ通信デバイスを特定する前記情報と関連付けて、他のコアネットワークノードへ送信する送信手段と、
を備えた通信ノード。
【請求項１７】
ゲートウェイデバイスである、
ことを特徴とした請求項１６に記載の通信ノード。
【請求項１８】
アプリケーションサーバである、
ことを特徴とした請求項１６に記載の通信ノード。
【請求項１９】
セルラ通信ネットワークにおいて他のユーザ通信デバイスに対する通信データを中継する中継ユーザ通信デバイスであり、第１の通信インタフェースを介して少なくとも一つの他のユーザ通信デバイスと通信し、且つ第２の通信インタフェースを介して基地局と通信する通信手段を備えた前記中継ユーザ通信デバイスにより実施される方法であって、
少なくとも一つの他のユーザ通信デバイスに対する通信データを中継するためのビットレートを特定する情報を、前記ビットレートが関連する前記少なくとも一つの他のユーザ通信デバイスから受信することによって、取得し、
前記通信手段を制御して、前記ビットレートが関連する前記少なくとも一つの他のユーザ通信デバイスに対する通信データを中継するためのビットレートを特定する前記情報を、前記基地局を介して少なくとも一つのコアネットワークノードへ送信し、
前記通信手段を制御して、他のユーザ通信デバイスの各々から前記第１の通信インタフェースを介して受信した通信データを、前記第２の通信インタフェースを介して前記基地局へ中継し、前記第２の通信インタフェースを介して前記基地局から受信した他のユーザ通信デバイスの各々に対する通信データを、前記第１の通信インタフェースを介して当該他のユーザ通信デバイスへ中継する、
ことを含む方法。
【請求項２０】
セルラ通信ネットワークにおいて、中継ユーザ通信デバイスによる中継のために前記中継ユーザ通信デバイスとデータ通信するユーザ通信デバイスにより実施される方法であって、
前記ユーザ通信デバイスの代理として通信データを中継するためのビットレートを決定可能な情報を、前記中継ユーザ通信デバイスとの通信インタフェースを介して伝送する、
ことを含む方法。
【請求項２１】
コアネットワークノードにより実施される方法であって、
中継ユーザ通信デバイスを介して提供される、少なくとも一つの他のユーザ通信デバイスに対する通信データを中継するためのビットレートを特定する情報を、受信し、
中継ユーザ通信デバイスを介して提供されるビットレートを特定する前記情報に基づき、前記中継ユーザ通信デバイスが前記少なくとも一つの他のユーザ通信デバイスとの中継コネクションを有する場合における前記中継ユーザ通信デバイスとの通信用のデータスループットを制御するためのパラメータを、生成し、
データスループットを制御するための前記パラメータを、前記中継ユーザ通信デバイスへ送信する、ことを含み、
前記受信は、ビットレートを特定する前記情報を、他のコアネットワークノードを介して前記中継ユーザ通信デバイスから受信することである、
方法。
【請求項２２】
コアネットワークノードにより実施される方法であって、
中継ユーザ通信デバイスを介して提供される、少なくとも一つの他のユーザ通信デバイスに対する通信データを中継するためのビットレートを特定する情報を、当該情報を提供する前記中継ユーザ通信デバイスを特定する情報と関連付けて、受信し、
前記中継ユーザ通信デバイスが前記少なくとも一つの他のユーザ通信デバイスとの中継コネクションを有する場合、前記中継ユーザ通信デバイスを介して要求された前記ビットレートに基づき、前記中継ユーザ通信デバイスとの通信用のデータスループットを制御する、
ことを含む方法。
【請求項２３】
通信ノードにより実施される方法であって、
中継ユーザ通信デバイスを介して、少なくとも一つの他のユーザ通信デバイスに対する通信データを中継するためのビットレートを特定する情報を、当該情報を提供する前記中継ユーザ通信デバイスを特定する情報と関連付けて、受信し、
少なくとも一つの他のユーザ通信デバイスに対する通信データを中継するためのビットレートを特定する前記情報を、当該情報を提供する前記中継ユーザ通信デバイスを特定する前記情報と関連付けて、他のコアネットワークノードへ送信する、
ことを含む方法。
【手続補正２】
【補正対象書類名】明細書
【補正対象項目名】発明の名称
【補正方法】変更
【補正の内容】
【発明の名称】中継ユーザ通信デバイス、ユーザ通信デバイス、コアネットワークノード、通信ノード及び方法